(57)【要約】【課題】  トラクタに連結する大型農作業機のスタンドを人力によって脱着するのは大変である。【解決手段】  トラクタに連結する農作業機には、移動台車装置の係合受部に係合する係合体を備えてなる。又、複数個のキャスタを取り付けて自立して移動可能な台枠と、この台枠に立設した支持枠と、この支持枠の頂部には係合手段を備えて移動台車装置を構成する。トラクタに連結されている農作業機を前記移動台車装置の係合手段に係合体を係合させてトラクタから離脱した時に、移動台車装置の係合手段が農作業機を地上から持ち上げた吊り下げ状態に支持することを特徴としたトラクタに連結する農作業機の移動台車装置である。【選択図】      図１
2005151874.tif 000002
【特許請求の範囲】
【請求項１】
複数個のキャスタを取り付けて自立して移動可能な台枠と、この台枠に立設した支持枠と、この支持枠の頂部にはトラクタに連結している農作業機に対する係合手段を備えてある移動台車装置と、前記農作業機には移動台車装置の係合手段に係合する係合体を備えてなり、農作業機を前記係合手段に係合させてトラクタから離脱した時に、移動台車装置の係合手段が農作業機を地上から持ち上げた吊り下げ状態に支持することを特徴としたトラクタに連結する農作業機の移動台車装置。
【請求項２】
農作業機が移動台車装置の係合手段に係合された状態で作業機の取付姿勢を独立的に調整可能に構成してなる請求項１記載のトラクタに連結する農作業機の移動台車装置。
【発明の詳細な説明】
【技術分野】
【０００１】
本発明は、トラクタに装着する農作業機の移動台車装置に係るものである。
【背景技術】
【０００２】
従来、代掻機、畦塗り機等のトラクタに連結する農作業機は、倉庫内での移動や格納を容易にするために、農作業機本体の左右側部にキャスタ付のスタンドを着脱自在に取り付け、この取り付けたスタンドにて農作業機本体を地上から持ち上げた状態に支持するように構成している。（特許文献１）
【特許文献１】特許第３４５７５６７公報
【発明の開示】
【発明が解決しようとする課題】
【０００３】
しかしながら、近年農作業機が大型化したり複合化するに到り、キャスタ付スタンドも大型化した農作業機を支持するために強化されて重量も重くなり、人力による農作業機に対するスタンドの脱着が大変な重労働となり、時には危険な作業になっていた。
【０００４】
本発明はこの点に鑑みてなされたもので、大型化した農作業機にあって、トラクタの三点リンクヒッチやクイックカプラの連結時の昇降動作時に、スタンドを人力によらずに簡易に脱着しようとするものである。
【課題を解決するための手段】
【０００５】
上記課題を解決するために、複数個のキャスタを取り付けて自立して移動可能な台枠と、この台枠に立設した支持枠と、この支持枠の頂部にはトラクタに連結している農作業機に対する係合手段を備えてある移動台車装置と、前記農作業機には移動台車装置の係合手段に係合する係合体を備えてなり、農作業機を前記係合手段に係合させてトラクタから離脱した時に、移動台車装置の係合手段が農作業機を地上から持ち上げた吊り下げ状態に支持することを特徴としたトラクタに連結する農作業機の移動台車装置を提供したものである。又、上記した移動台車装置において、農作業機が移動台車装置の係合手段に係合された状態で作業機の取付姿勢を独立的に調整可能に構成したものである。
【発明の効果】
【０００６】
以上のように構成したので、大型化してきている農作業機のスタンドの取り付けは、人力によって持ち上げて取り付ける必要がなくなり、倉庫への格納も容易になった。又、トラクタに対する農作業機の取り付け、取り外しも簡易に脱着できるようになったものである。
【発明を実施するための最良の形態】
【０００７】
本発明を実施した図面に基づいて構成を説明する。図１は本発明を実施した外観側面図、図２は移動台車装置の斜視図、図３は係合手段の説明図、図４は係合手段のストッパ解除説明図、及び図５はその他の実施例を示したものである。
【０００８】
図１において２は農作業機を示し、本実施例では畦塗り機を示したものである。８は装着フレームを示し、トップブラケット１８と左右のロアピン１９を設けている。装着フレーム８の後方には、機枠体７を連結して畦塗り用のディスクと土盛用の前処理機を備えている。本実施例では、装着フレーム８に対して、畦塗り部をトラクタ進行方向に対して後方に旋回させた状態を示している。
【０００９】
４は係合体で、作業部を示している機枠体７の両側に突出して構成し、断面四角状である。３は移動台車装置で、固定手段５を構成している係合受部６が前記した農作業機２の係合体４が嵌入されて固定されている。移動台車装置３の係合受部６に係合した時点で、農作業機を地上から持ち上げた吊り下げ状態に支持するように設定されている。
【００１０】
１はクイックヒッチを示し、図示していないがトラクタの三点リンクヒッチに連結される。クイックヒッチ１は前記した農作業機２の装着フレーム８のトップブラケット１８と左右のロアピン１９と連結するもので、トラクタ三点リンクヒッチの昇降作用を利用する。
【００１１】
図１の状態にあっては、先に農作業機２の係合体４を移動台車装置３の係合受部６に嵌入するように降下させて、固定手段５によって固定された状態でクイックヒッチ１をさらに降下されると、ロアピン１９及びトップブラケット１８から装着部が離脱する。トラクタから離脱した後は、移動台車装置３の係合受部６は農作業機２を地上から持ち上げた状態で支持固定されて、移動台車装置３は移動自在である。
【００１２】
図２に示した移動台車装置３は、台枠９に一対のキャスタ２０を取り付けて上方に支持枠１０を立設して、左右対称に構成して自立して移動可能である。１１は支持枠１０の背面部と台枠９とに掛け渡した伸縮装置を示し、本実施例ではターンバックルを使用し、さらに台枠９に設けた穴の位置を換えると支持枠１０の角度と高さを変更できる。１２は左右に台枠９を連結する連結枠を示し、２１は受板で農作業を載置するもので左右一体に構成し、受板２０と連結枠１２は着脱分解可能で、不要時にはコンパクトに格納するものである。５は固定手段を示し、係合受部６に嵌合された農作業機の係合体４を支持固定する。２２は把手を示し、農作業機２を載置固定した後に倉庫に格納する場合や一般の台車としては使用する場合に使うものである。
【００１３】
図３において、６の係合受部はＵ字状を示し、四角断面の係合体４が嵌入すると、農作業機２の重量を吊り下げ状態に保持する。係合体４は上部から下降する時に固定手段５のストッパピン１３の傾斜面に当接し、ストッパピン１３は、一旦圧縮されて係合体が通過後にコイルバネ１４の弾性力によって復元して、係合体４の上面を固定する。
【００１４】
図４は係合受部６のストッパ解除を説明するもので、農作業機２をトラクタの三点リンクヒッチに連結する際には、移動台車装置３の固定手段を予め解除しておく。即ち、図４に示したように、ストッパピン１３の支軸１５をフック１７によって引き出した後に、フック１７を切欠部１６に押し当てて固定の解除状態を維持する。この後に、トラクタ連結側のクイックヒッチ１によりトップブラケット１８を引っ掛けて上昇させると、次いで左右のロアピン１９が係合されて、さらに昇降すると農作業機は移動台車装置３から完全に離脱する。その後移動台車装置３をキャスタによって移動格納する。不要な時は、伸縮装置１１を外して連結枠１２を分解することによりコンパクトに格納できる。
【００１５】
図５はその他の実施例を示したもので、３分割に構成し上方に折り畳んだ代掻き装置に本発明の移動台車装置３を組み入れたものである。巾広の代掻き装置の前方横枠体に係合体４を左右対称に配設し、この係合体４に移動台車装置３を嵌合したものである。１は前記したとおりのトラクタの三点リンクヒッチ先端に設けたクイックヒッチである。必要によって、伸縮装置１１を伸縮して支持枠１０の高さと角度を調整する。
【００１６】
以上のような構成にしたので、トラクタオペレータは農作業機をトラクタから離脱するに際して、本発明の自立した移動台車装置をキャスタによって移動させて係合手段を農作業機側の係合体の下方に位置させる。次ぎに、トラクタの装着部である三点リンクヒッチを下降させて農作業機の係合体を係合受部に係合させると、農作業機は地上から持ち上げた吊り下げ状態に支持され、三点リンクヒッチ取付部はフリー状態となって簡単に離脱する。同時に移動台車の係合受部に作業機が固定されるから移動に際し安全である。又、移動格納時には伸縮手段を調整して農作業機本体を下降させて台枠の受板に載置することで重心バランスは安定する。
【００１７】
再度、移動台車装置上の農作業機をトラクタの三点リンクに連結する際は予め、移動台車装置の固定手段を解除しておき、三点リンクのヒッチを農作業機の装着部に取り付けて上昇させると、農作業機はスタンド装置の係合受部から離脱する。又、必要によって伸縮手段を調整することによって、トラクタ後部の装着部に対して作業機の取付姿勢を最適に調整できる。
【図面の簡単な説明】
【００１８】
【図１】本発明を実施した外観側面図
【図２】移動台車装置の斜視図
【図３】係合手段の説明図
【図４】係合手段のストッパ解除説明図
【図５】その他の実施例
【符号の説明】
【００１９】
１      クイックヒッチ
２      農作業機
３      移動台車装置
４      係合体
５      固定手段
６      係合受部
７      機枠体
８      装着フレーム
９      台枠
１０    支持枠
１１    伸縮装置
１２    連結枠
１３    ストッパピン
１４    コイネバル
１５    支軸
１６    切欠部
１７    フック
１８    トップブラケット
１９    ロアピン
２０    キャスタ
２１    受板
２２    把手
【図１】
2005151874.tif 000003
【図２】
2005151874.tif 000004
【図３】
2005151874.tif 000005
【図４】
2005151874.tif 000006
【図５】
2005151874.tif 000007